(57)【要約】【課題】分割後の容器を所定の安定した位置に係止して安定な状態として使用することができる二分割式容器を提供する。【解決手段】収納物を収納するために凹状に形成され上部が開口した収納部１ａ，１ｂと、この収納部１ａ，１ｂの側面の上端部外周に形成されたフランジ部２と、を有する平面視矩形状の容器体３ａ、３ｂを、フランジ部２の端部で分割可能に二つ連結して形成されている。フランジ部２のうち、連結している側にあるフランジ部２ａ，２ｂには、分割後の容器体３ａ，３ｂを所定の位置に係止するためのフック部４ａが形成されている。フック部４ａ，４ｂは、それぞれフランジ部２ａ，２ｂから下方へ垂下させて面状に形成したものであり、互いに対向しない位置に形成されている。【選択図】  図３
2007049930.tif 000002
【特許請求の範囲】
【請求項１】
収納物を収納するために凹状に形成され上部が開口した収納部と、該収納部の上端部外周に形成されたフランジ部と、を有する平面視矩形状の容器体を、前記フランジ部の端部で分割可能に二つ連結して形成されている二分割式容器であって、
連結している側の各フランジ部には、分割後の各容器体を所定の位置に係止するためのフック部が形成されていることを特徴とする二分割式容器。
【請求項２】
前記フック部は、連結している側の各フランジ部から下方へ垂下させて面状に形成したものであり、互いに対向しない位置に形成されている請求項１記載の二分割式容器。
【請求項３】
連結している側の一方のフランジ部の端部中央には、単数のフック部が設けられ、
連結している側の他方のフランジ部の端部中央から対称となる位置には、複数のフック部が設けられている請求項２記載の二分割式容器。
【請求項４】
連結している側の一方のフランジ部の端部中央から対称となる位置には、複数のフック部が設けられ、
連結している側の他方のフランジ部の端部中央から対称となる位置には、複数のフック部が設けられている請求項２記載の二分割式容器。
【請求項５】
さらに、連結している側の一方のフランジ部の端部中央から対称となる位置には、複数のフック部が設けられている請求項３記載の二分割式容器。
【請求項６】
連結している側の各フランジ部には、前記フック部が対向する位置に前記フック部と略同幅の切り欠きが形成されている請求項２から５のいずれかの項に記載の二分割式容器。
【請求項７】
前記容器体は、連結している側の各フランジ部から下方に突出して形成した連結部材により連結されている請求項１から６のいずれかの項に記載の二分割式容器。
【請求項８】
前記容器体と前記フック部は一体成形されている請求項１から７のいずれかの項に記載の二分割式容器。
【発明の詳細な説明】
【技術分野】
【０００１】
本発明は、収納物を収納して、分割して使用する二分割式容器に関し、より詳しくは、釣りやアウトドア等において地面に置きにくい場所において使用可能な二分割式容器に関する。
【背景技術】
【０００２】
川岸や海岸等で長時間に渡り釣りを行う際に、釣り餌の鮮度を落とさないようにするために釣り餌を収納した二分割式容器が使用されている。分割式容器としては、例えば特許文献１のような容器が知られており、容器の間にＶ字状等の切り込みを設けて分割できるようにしてある。二分割式容器は、例えば、分割後の容器の一部を開封せずに保冷容器等に保存して鮮度を保持しておくことができる一方、他の容器をすぐに開封して使用するなどして、使い勝手が良い容器として使用されている。この釣り餌が収納された容器を使用する場合には、各容器を地面に置き、容器から釣り餌を手で掴んで付け餌として使用している。
【０００３】
しかし、川岸や海岸等においては、石や砂利が多く地面が不安定なところが多く、容器を安定して置くことができないために、容器体が傾いたり、ひっくり返ったりするなどして、容器内の釣り餌のロスが発生していた。また、傾いた状態では釣り餌を掴みにくいなど、使用者にとっては使用しづらい等の使用性の問題もあった。
【０００４】
一方、地面に置かずに使用する釣り餌用の容器として、釣り人の腰ベルトに係止具で係止する容器が知られている（例えば、特許文献２〜４参照。）。これらの容器は、釣り人が移動しながらでも使用できるものである。
【０００５】
【特許文献１】特開２００２−１１４２６５号公報
【特許文献２】特開２００４−２９８０３５号公報
【特許文献３】実開平２−１０５３６８号公報
【特許文献４】実開平２−１０５３７０号公報
【発明の開示】
【発明が解決しようとする課題】
【０００６】
特許文献２〜４に記載の釣り餌用容器は、釣り人が移動しながらでも使用することを可能とするためにその構造には多くの工夫がなされ、多くの部品が使用されて複雑な構造となっている。また、これらの容器は二分割式容器ではなく、容器を製造する際には非効率であり大量生産には向かない。
【０００７】
本発明が解決しようとする課題は、分割後の容器を所定の安定した位置に係止して安定な状態として使用することができる二分割式容器を提供することにある。
【課題を解決するための手段】
【０００８】
本発明の二分割式容器は、収納物を収納するために凹状に形成され上部が開口した収納部と、該収納部の上端部外周に形成されたフランジ部と、を有する平面視矩形状の容器体を、フランジ部の端部で分割可能に二つ連結して形成されている二分割式容器であって、連結している側の各フランジ部には、分割後の各容器体を所定の位置に係止するためのフック部が形成されていることを特徴とする。
【０００９】
以上のような構成とすることにより、分割後の各容器体にはフック部が形成されているため、二分割式容器に予め釣り餌（付け餌）を入れておけば、使用者は、二分割した各容器体を釣り餌用容器（バッカン）等の所定の位置に引っ掛け係止して使用することができる。これにより、小さい各容器体を不安定な場所に置くことなく、安定した位置で容器体から釣り餌を取ることができるため、容器体が傾いたり、ひっくり返ったりすることを防止することができる。従って、容器体の釣り餌（付け餌）がこぼれることが無く、釣り餌（付け餌）のロスを防止することができるため、使用者は、安心して二分割後の容器体を使用することができる。また、容器体は安定した状態で係止されて、且つ、バッカンに収容した寄せ餌（撒き餌）と容器体中の付け餌との位置が近いため、使用者は釣り餌（付け餌）を掴みやすくなり、寄せ餌（撒き餌）を使用しながらも、付け餌を使用しやすいものとすることができる。
【００１０】
また、フック部は、連結している側の各フランジ部から下方へ垂下させて面状に形成したものであり、互いに対向しない位置に形成されていることを特徴とする。
二分割して各容器体を形成する際に、容器の両側を持って連結部分が頂点となるようにして折り曲げて分割するが、このとき、フック部どうしが対向していないため、分割時にこれらが接触せず邪魔になることがない。これにより、使用者は、従来の二分割式容器と同様に、容器の両側を持って折り曲げて各容器体を使用することができる。また、フック部が対向していないため、容易に製造することもできる。ここで、下方とは、通常、容器体を使用する状態にあるときに、すなわち、収納部の開放されている側を上向きにして置いた状態を基準にしている。
【００１１】
ここで、連結している側の一方のフランジ部の端部中央には、単数のフック部が設けられ、連結している側の他方のフランジ部の端部中央から対称となる位置には、複数のフック部が設けられていることを特徴とする。このような構成とすれば、二分割して各容器体を係止したときに、フランジ部が傾かず水平状態を維持したまま、バランス良い状態とすることができる。これにより、使用者は、さらに安定して所定の位置に引っ掛け係止することができる。
さらに、連結している側の一方のフランジ部の端部中央から対称となる位置に複数のフック部を設けてもよい。連結している側の一方のフランジ部に前記単数のフック部以外のフック部を設ければ、使用者は、さらに安定して所定の位置に引っ掛け係止することができる。
【００１２】
一方、連結している側の一方のフランジ部の端部中央から対称となる位置には複数のフック部を設け、連結している側の他方のフランジ部の端部中央から対称となる位置には複数のフック部を設けることもできる。このように、連結している側の各フランジ部の端部中央から対称となる位置に、それぞれ複数のフック部を設けてもよく、前述と同様に、フランジ部が傾かず水平状態を維持したまま、バランス良い状態とすることができる。
【００１３】
ここで、連結している側の各フランジ部には、フック部が対向する位置にフック部と略同幅の切り欠きが形成されていることを特徴とする。このような構成とすれば、切り欠きは、容器を二分割する際にフック部が傾斜状態となるときの遊びとして機能することとなり、フック部がフランジ部に接触することがない。これにより、使用者は、折り曲げて容易に二分割して使用することができる。
【００１４】
また、容器体は、連結している側の各フランジ部から下方に突出して形成した連結部材により連結されていることを特徴とする。このような構成とすれば、二分割する際に連結部材の連結を解除させるだけで、真ん中から容易に二分割することができる。
【００１５】
ここで、前記容器体と前記フック部は一体成形すれば、効率よく大量生産することができ、使い捨て容器とすることができる。
【発明の効果】
【００１６】
本発明の最大の特徴は、二分割式容器において、連結している側の各フランジ部には、分割後の各容器体を所定の位置に係止するためのフック部が形成されていることにある。これにより、使用者は、二分割した各容器体を釣り餌用容器（バッカン）等の所定の位置に引っ掛け係止して使用することができ、容器体が傾いたり、ひっくり返ったりすることを防止することができる。
【発明を実施するための最良の形態】
【００１７】
以下、図面に基づいて本発明の実施の形態について説明する。図１は本発明の実施形態である二分割式容器を示す斜視図、図２は図１における二分割式容器の側面図、図３は図１における二分割式容器を下方から見た斜視図、図４は図１における二分割容器をやや下方から見た斜視図、図５は図１における二分割式容器の連結部分の拡大図である。
【００１８】
図１〜図５に示すように、本発明の実施形態の二分割式容器２０は、収納物を収納するために凹状に形成され上部が開口した収納部１ａ，１ｂと、この収納部１ａ，１ｂの側面の上端部外周に鍔状に形成されたフランジ部２と、を有する平面視矩形状の容器体３ａ、３ｂを、フランジ部２の端部で分割可能に二つ連結して形成されている。フランジ部２は、収納部１ａ，１ｂの上端部外周において、４つの角部以外は直線上に形成されている。なお、容器体３ａ，３ｂは、後述するフランジ部２ａ，２ｂ、フック部４ａ，４ｂ、突起５ａ，５ｂ、連結部材７ａ，７ｂ、貼着部１１、パレット部材１２を有しており、これらは樹脂により一体成形されている。
【００１９】
フランジ部２のうち、連結している側の一方であるフランジ部２ａには、分割後の容器体３ａを所定の位置に係止するためのフック部４ａが形成されている。また同様に、フランジ部２のうち、連結している側の他方であり、フランジ部２ａに対向するフランジ部２ｂには、分割後の容器体３ｂを所定の位置に係止するためのフック部４ｂが形成されている。フック部４ａ，４ｂは、それぞれフランジ部２ａ，２ｂから下方へ垂下させて面状に突出形成したものであり、互いに対向しない位置に形成されている。
【００２０】
フック部４ａは、フランジ部２ａの端部中央（図１中のＡ）に一つ形成されており、フック部４ｂは、フランジ部２ｂの端部中央（図１中のＡに対向する位置）から対称となる位置、且つ、フック部４ａが対向しない位置（図１中のＢ）に、二つ設けられている。さらにフック部４ａ，４ｂの各先端には、分割後の容器体３ａ，３ｂを引っ掛け係止したときに滑り止めとして機能する、断面半球状の突起５ａ，５ｂが先端に渡って線状に形成されている。フランジ部２ａには、フック部４ｂと対向する位置にこのフック部４ｂと略同幅の切り欠き６ａが形成されている。また同様に、フランジ部２ｂには、フック部４ａと対向する位置にこのフック部４ａと略同幅の切り欠き６ｂが形成されている。
すなわち、本実施形態においては、図１，図３に示すように、フック部４ａ，４ｂや、切り欠き６ａ，６ｂは、フランジ部２ａ，２ｂにおいて交互に千鳥状に形成されている。
【００２１】
また、図４，図５に示すように、フランジ部２ａ，２ｂの端部中央から対称となる位置であって、端部中央からフック部４ａ，４ｂよりも離れた位置において、フランジ部２ａ，２ｂを連結することにより容器体３ａ，３ｂを連結するための連結部材７ａ，７ｂが設けられている。連結部材７ａ，７ｂは、フランジ部２ａ，２ｂから下方に垂下し突出形成した角柱状の突起物であり、連結部材７ａ，７ｂの面が接して固着されることによって連結され、この連結部材７ａ，７ｂを連結することにより容器体３ａ，３ｂが連結した状態にある。
【００２２】
ここで、図５に示すように、フランジ部２ａ，２ｂの間には、わずかな隙間Ｓが設けられており、フランジ部２ａ，２ｂは接していない。すなわち、二分割する際に、連結部材７ａ，７ｂの連結が上方から引き剥がされることにより、二分割式容器２０は二分割されることとなる。なお、連結部材７ａ，７ｂは一体成形して固着されているが、固着強度が分割時に適度な力を加えることにより分割できるように調整されている。
【００２３】
さらに、フランジ部２ａ，２ｂには、樹脂製または紙製でありシート状の外蓋（図示せず）を貼るための貼着部１１が設けられている。また、貼着部１１が形成されたことにより、二分割式容器２０を重ねても、滑り止めとして機能する。また、収納部１ａ，１ｂの内部の底には、収納物の水により収納物が腐敗することを防ぐために複数の溝が形成されたパレット部材１２が設けられている。このパレット部材１２は、収納物の滑り止めとしても機能する。また、収納部１ａ，１ｂの外側底部の端部には、二分割式容器２０を重ねたときに滑り止めとして機能する溝部１３が複数形成されている。
【００２４】
ここで、二分割式容器２０の寸法について説明する。二分割式容器２０の大きさは、縦約１０ｃｍ、横約１６ｃｍ、高さ約２．５ｃｍとし、幅方向において二分割される。容器体３ａ，３ｂが連結される側のフランジ部２ａ，２ｂの幅は、釣り餌用容器（バッカン）の上端部の厚みを考慮して大きめに設計する必要があり、５ｍｍ以上１０ｍｍ以下とすることが望ましく、本実施形態では約６．８ｍｍとしている。その他のフランジ部２の幅は、フランジ部２ａ，２ｂの幅よりも小さい。フランジ部２ａ，２ｂの幅が５ｍｍ未満とすると、容器体３ａ，３ｂをバッカンに係止することが困難となり、またフック部４ａ，４ｂを形成することが製造上困難となる。逆に１０ｍｍを超えると、バッカンの上端部の幅よりも大きくなって係止することができなくなる。
【００２５】
フック部４ａ，４ｂの長さは、１．５ｃｍ以上２．５ｃｍ以下が望ましく、本実施形態においては約１．７ｃｍとしている。１．５ｃｍ未満の場合、容器体３ａ，３ｂをバッカンに係止しても、収納物の重量により下方に下がってしまい、係止がはずれる恐れがある。逆に２．５ｃｍ以上とすると、容器の高さを超えてしまい、使用しづらいものとなる。
フック部４ａ，４ｂの幅は、本実施形態においては約１．５ｃｍとしているが、バランスの良い状態で係止できれば、適宜設計変更することができる。
【００２６】
次に、二分割式容器２０の使用方法について説明する。二分割式容器２０の収納部１ａ，１ｂには、予め釣り餌等の収容物が収容されて、シート状の外蓋を貼着部１１に貼着して密閉状態として製造してある。使用者（釣り人等）は、現場において、保冷用具に保存しておいた二分割式容器２０を取り出し、これを分割して使用する。このとき、使用者は、二分割式容器２０の両端を掴んで、連結部分、すなわち、フランジ部２ａ，２ｂが頂点となるようにして折り曲げると、連結部材７ａ，７ｂの固着している面が解除されて、互いに分離する。これにより、二分割式容器２０が二分割されて、容器体３ａ，３ｂは独立することとなる。二分割後においても、容器体３ａ，３ｂは密閉されたままである。
【００２７】
ここで、二分割式容器２０が二分割される状況を詳細に説明する。前述のように、使用者が折り曲げたとき、フック部４ａ，４ｂが互いに対向しないように形成されているため、二分割する際に、これらが接触せず邪魔になることがない。また、各フック部４ａ，４ｂに対向する位置に、それぞれのフック部と同幅の各切り欠き６ａ，６ｂが形成されているため、折り曲げた際にフック部４ａ，４ｂが傾斜状態となるときの遊びとして機能することとなり、フック部４ａ，４ｂがフランジ部２ａ，２ｂに接触することがない。さらに、フランジ部２ａ，２ｂ間にはわずかな隙間Ｓが設けられ接していないため、使用者は、二分割式容器２０を前述のように折り曲げて、連結部材７ａ，７ｂの連結を上方から引き剥がして解除させて、各容器体３ａ，３ｂに二分割することができる。
【００２８】
次に、容器体３ａ，３ｂの係止方法について説明する。容器体３ａを使用する場合、使用者は、容器体３ａを持ちながら、図示しないシート状の外蓋を剥がし、フック部４ａを釣り餌用容器（バッカン）の上端部に引っ掛けて係止する。このとき、容器体３ａは、フック部４ａと、フランジ部２ａと、収納部１ａとにより、釣り餌用容器（バッカン）の上端部を挟持して係止する。収納部１ａには図示しない釣り餌が収納されており、重力によって下方に垂れようとするが、フック部４ａの長さがある程度の長さに確保されているため、十分に重さを支持して安定した状態で係止することができる。
【００２９】
また同様に、容器体３ｂを使用する場合、フック部４ｂが二つ形成されていること以外は、容器体３ａと同じ要領で係止して使用することができる。ここで、フック部４ｂをフランジ部２ｂの端部中央から対称となる位置に形成しているので、容器体３ｂを係止したときに、フランジ部２ｂが水平状態を維持したまま、バランス良い状態とすることができる。さらに、フック部４ａ，４ｂには、突起５ａ，５ｂが形成されているため、容器体３ａ，３ｂを釣り餌用容器（バッカン）に引っ掛け係止したときに滑って移動することを抑制することができる。
【００３０】
容器体３ａ，３ｂは、各々を独立して使用することができ、例えば、一方を開封せずに保冷容器等に保存し、他方をすぐに使用することができなど、使用者の目的に応じて使い分けることができる。
【００３１】
また、フック部４ａは、一つに限定されることはなく、例えば、フック部４ａに代えてフランジ部２ａの端部中央（図１中のＡ）から対称となる位置に二箇所（または複数箇所）に設けることもできる。或いは、フック部４ａに加え、フランジ部２ａの端部中央（図１中のＡ）から対称となる位置に二箇所（または複数箇所）に設けることもできる。この場合、フック部４ａは奇数箇所に設けられることとなる。
また同様に、フック部４ｂは、二つに限定されることはなく、フランジ部２ｂの端部中央（図１中のＡが対向する位置）から対称となる位置に、バランスが良い状態でさらに多くのフック部４ｂを設けても良く、前述と同様に容器体３ａ，３ｂを安定して係止することができる。
【００３２】
本発明の二分割式容器２０は、すべての構成が一体成形されているため、効率よく大量生産することができ、使い捨て容器とすることができるが、再利用しても良い。
【００３３】
以上より、本発明の二分割式容器２０は、二分割後の各容器体３ａ，３ｂを不安定な場所に置くことなく、安定した位置で容器体３ａ，３ｂから釣り餌を取ることができるため、容器体３ａ，３ｂが傾いたり、ひっくり返ったりすることを防止することができる。従って、容器体３ａ，３ｂの釣り餌（付け餌）がこぼれることが無く、釣り餌（付け餌）のロスを防止することができるため、使用者は、安心して容器体３ａ，３ｂを使用することができる。また、容器体３ａ，３ｂは安定した状態で係止されて、且つ、バッカンに収容した寄せ餌（撒き餌）と容器体中の付け餌との位置が近いため、使用者は釣り餌（付け餌）を掴みやすくなり、寄せ餌（撒き餌）を使用しながらも、付け餌を使用しやすいものとすることができる。
【００３４】
さらに、本発明の二分割式容器２０は、釣り餌用の容器を想定したものであるが、これに限定されるものではなく、例えば、収納物として食品やペット用の餌容器としても使用することができ、特に、アウトドアでの活動においては大変役立つものである。
【産業上の利用可能性】
【００３５】
本発明は、川岸や海岸等で釣りを行う際に、釣り餌用の二分割式容器として広く利用することができる。
【図面の簡単な説明】
【００３６】
【図１】本発明の実施形態である二分割式容器を示す斜視図である。
【図２】図１における二分割式容器の側面図である。
【図３】図１における二分割式容器を下方から見た斜視図である。
【図４】図１における二分割容器をやや下方から見た斜視面図である。
【図５】図１における二分割式容器の連結部分の拡大図である。
【符号の説明】
【００３７】
２０  二分割式容器
１ａ，１ｂ  収納部
２  フランジ部
２ａ，２ｂ  フランジ部
３ａ，３ｂ  容器体
４ａ，４ｂ  フック部
５ａ，５ｂ  突起
６ａ，６ｂ  切り欠き
７ａ，７ｂ  連結部材
１１  貼着部
１２  パレット部材
１３  溝部
Ｓ  隙間
【図１】
2007049930.tif 000003
【図２】
2007049930.tif 000004
【図３】
2007049930.tif 000005
【図４】
2007049930.tif 000006
【図５】
2007049930.tif 000007